(57)【特許請求の範囲】
【請求項１】
ブロックの前壁と後壁とを結ぶ梁の上面又は下面に、後壁の背面から前壁の前面に貫通する前後排水溝を設け、ブロック前部へ前記前後排水溝に連通する左右排水溝をブロック端部に貫通させ、左右排水溝を前後排水溝より底部を低くしてなる排水溝付きブロック。
【請求項２】
ブロックの前壁と後壁とを結ぶ梁の上面又は下面に、後壁の背面から前壁の前面に貫通する前後排水溝を設け、ブロック前部へ前記前後排水溝に連通する左右排水溝をブロック端部に貫通させ、前後排水溝に連通する左右排水溝より前側に堰を形成してなる排水溝付きブロック。
【発明の詳細な説明】
【０００１】
【発明の属する技術分野】
本発明は擁壁背面の水抜きを可能にした排水溝付きブロックに関する。
【０００２】
【従来の技術】
擁壁の背面に生じる水圧を減らすことは、擁壁の安定性の面から重要である。また、排水を背面から所定の方向に導いて、そこから排水溝などへ流すことも施工面やメンテナンス、耐久性の面から重要となる。そこで、従来より擁壁を構成するブロックに水抜き孔を設けた例が多くみられる。例えば実開平05-016843号、特開平11-061857号などである。
【０００３】
【発明が解決しようとする課題】
前者の実開平05-016843号はブロックの側壁へ傾斜溝を設けて背面から擁壁の前面へと水を導いている。しかしながら側壁は目地コンクリートを用いてブロック同士を接着する場合がほとんどで、目詰まりを生じやすい。また、傾斜溝から水が垂直方向に側壁を伝って落ちるので、目地コンクリートの浸食が起き、擁壁の劣化速度も速い難点がある。後者の特開平11-061857号のようにブロックの躯体内に貫通孔を設けるためには、抜き型との絡みで製造工程を複雑化し、貫通孔を設ける部位によっては強度低下を招く難点がある。また、排水とそれに繁殖する苔の繁茂や水垢等により擁壁の正面を汚くするなど、景観上好ましくない例もみられる。そこで本発明は擁壁の背面から前面へと水を円滑に導くと共に、擁壁内での流下を無くし、しかも製造が容易な排水溝付きブロックについて検討した。
【０００４】
【課題を解決するための手段】
上記課題を検討した結果、ブロックの前壁と後壁とを結ぶ梁の上面又は下面に、後壁の背面から前壁の前面に貫通する前後排水溝を設けた排水溝付きブロックとしたのである。この前後排水溝の勾配は、ブロックの躯体が擁壁等に施工された場合にブロックの前壁に向けて実質的に下り勾配となることが好ましい。また、ブロックの前壁と後壁とを結ぶ梁の上面又は下面に、後壁の背面から前壁の前面に貫通する前後排水溝を設け、ブロック前部へ前記前後排水溝に連通する左右排水溝をブロック端部に貫通させ、左右排水溝を前後排水溝より底部を低くしたり、前後排水溝に連通する左右排水溝より前側に堰を形成したりしたのである。この場合、一方又は両方のブロック端部に、左右排水溝に連通するブロック縦方向の上下排水溝を設けるのが望ましい。
【０００５】
この底部が低い左右排水溝は、ブロックを芋積みするタイプの場合、梁の上面に設けた前後排水溝からブロック端部に向けて設けるだけでもよく、千鳥積みするタイプの場合、左右排水溝をブロックの前壁の中央付近から溝を経てブロック端部に達するように設けるとよい。このように設けると、上段ブロックの背部からの排水が排水溝を伝わり、平常時には左右排水溝を経てブロック端部から目地部を流下し、下段のブロックの左右排水溝を更に伝わり、下方へと流れるのである。したがって、平常時に排水が擁壁表面を流れることがない。しかし、流量増加時には前後排水溝の前方から増加分が擁壁外へと流出して擁壁背面の水圧低下を可能にするのである。
【０００６】
【発明の実施の形態】
以下本発明を詳細に説明する。図１は本発明実施例の排水溝付きブロックの平面図、図２は図１中Ａ−Ａ断面図、図３は図１中Ｐ部拡大図、図４は図２中Ｑ部拡大図である。更に、図５は本実施例の排水溝付きブロックを芋積みした場合の要部斜視図である。
【０００７】
これらの図から明らかなように、この排水溝付きブロックはブロックの前壁１と後壁４とを結ぶ梁２の上面に前後排水溝３を設けている。この例では背部に後壁４を有している。この例では梁２の下面にも前後排水溝５を設けて、下部ブロックの上面の前後排水溝３と施工時に、もなか合わせにすることにより穴径を大にして流量増大時に対応させている。この例では前後排水溝３は前壁１側が低い下り勾配となっているが、擁壁がもたれ構造であるか、垂直壁面とするか、使用態様によって、必ずしも製品の前後排水溝３に下り勾配を設ける必要性がないケースも考えられる。前後排水溝３は複数の梁２のそれぞれに上面又は下面のいずれにも設けることができる。
【０００８】
このブロックの前部の様子が図３及び図４に見られる。ブロック前部へ前後排水溝３に連通する左右排水溝６をブロック端部（図面左右方向端部）に向けて設けたのである。この左右排水溝６に排水を可能とするために、前後排水溝３に連通する左右排水溝６より前側に堰７を設けている。堰７は前後排水溝３の底部から上部の開口を残して起立した突起である。左右排水溝６に排水を可能とするためには、前後排水溝３の底部より左右排水溝６の底部を低く形成してもよい。
【０００９】
図５に、この実施例の排水溝付きブロックを芋積みした例を示す。上段ブロックの背部からの排水が前後排水溝３を流れ、左右排水溝６を経てブロック端部から目地部９を流下し、下方へと流れる。しかし、流量が増加すると、図４にみられるように、前後排水溝３の前方の堰７を越えて擁壁外へと流出するのである。
【００１０】
図６は本発明の他の実施例の排水溝付きブロックを千鳥積みにした例の斜視図である。千鳥積みを可能とするために、ブロックの梁２に設けられた前後排水溝３に前方で交わる左右排水溝６をブロックの前壁１の中央付近から前後排水溝３を経てブロック端部に達するように設けるとよい。上段ブロックの背部からの排水が前後排水溝３を流れ、左右排水溝６を経てブロック端部から目地部９を流下し、下段のブロックの左右排水溝６を更に伝わり、下方へと流れる。なお、施工場所の縦断勾配に合わせるために、ブロックを施工延長方向に勾配をもたせて使用する必要があるが、そのような使用に対応するために、左右排水溝６を前壁１の中央付近から両側へブロック端部に達するように設けることも有効である。その例を次に示す。
【００１１】
図７は本発明の排水溝付きブロック他の実施例の平面図である。ブロックの梁２に設けられた前後排水溝３に前方で交わる左右排水溝６を、ブロックの前壁１の中央付近から前後排水溝３を経て両方のブロック端部へ達するように設けている。図８に示すように前後排水溝３を流れた排水は、左右排水溝６で左右にいずれの方向にでも流れることができる。図９は図７中のB-B断面図であり、図10は図９中S部拡大図である。この例では梁２の下面に設けた前後排水溝５を深く形成し、そのまま前壁１に開口し、開口の手前で下段の左右排水溝６と交わる構造である。水量が少ない時には左右排水溝６を流れ、水量が多いと開口部5aから流れるのである。図11は本実施例の排水溝付きブロックを芋積みにした例の斜視図である。更に、図12は同ブロックを千鳥積みした例である。
【００１２】
図13は更に本発明の排水溝付きブロックの他の実施例を示しており、図14（図13中のC-C断面相当）にそのブロックを積んだ状態を示す。この例では、梁２の下面に設けた前後排水溝５等に代えて排水を集める集水溝10を梁２と前壁１との交点付近に左右排水溝６に連通させて設けている。
【００１３】
図15は前後排水溝３のみを備えた排水溝付きブロックを芋積みした例を示す。背面の法面が常時排水を必要としない場合には、左右排水溝を特に設ける必要がないこともある。
【００１４】
左右排水溝６を前壁１の上面に設ける場合に、図16に示すように堰７がブロックの前壁１の端部まで延長された構造であっても構わない。なお、左右排水溝６の許容流量が流量増大時に充分に対応できる場合には、前後排水溝３の前端は前壁１の上端まで閉鎖されていても構わない。
【００１５】
【発明の効果】
本発明の排水溝付きブロックは擁壁の背面から前面へと水を円滑に導くことができて、擁壁の保全に寄与する。擁壁内での水の浸食や強度低下を無くし、しかも、通常の成形型を排水溝部分の成形が可能となるように変更するだけであるから、コストの増加もほとんどなく、製造も容易である。通常の擁壁等の施工方法と変わりない施工で、背面の排水を前面へ排出可能にすることができる。
【図面の簡単な説明】
【図１】本発明実施例の排水溝付きブロックの平面図である。
【図２】図１中Ａ−Ａ断面図である。
【図３】図１中Ｐ部拡大図である。
【図４】図２中Ｑ部拡大図である。
【図５】本実施例の排水溝付きブロックを芋積みした場合の要部斜視図である。
【図６】本発明の他の実施例の排水溝付きブロックを千鳥積みにした例の斜視図である。
【図７】本発明の排水溝付きブロック他の実施例の平面図である。
【図８】図７中Ｒ部拡大図である。
【図９】図７中のB-B断面図である。
【図１０】図９中Ｓ部拡大図である。
【図１１】本発明実施例の排水溝付きブロックを芋積みにした例の斜視図である。
【図１２】同ブロックを千鳥積みした例の斜視図である。
【図１３】他の実施例の排水溝付きブロックの斜視図である。
【図１４】図13中のC-C断面図である。
【図１５】溝のみを備えた排水溝付きブロックを芋積みにした例の斜視図である。
【図１６】本発明の他の実施例の排水溝付きブロックの斜視図である。
【符号の説明】
１  前壁
２  梁
３  前後排水溝
４  後壁
５  梁下面の前後排水溝
６  左右排水溝
７  堰
９  目地部
10  集水溝
【図１】
0004691250.tif 000002
【図２】
0004691250.tif 000003
【図３】
0004691250.tif 000004
【図４】
0004691250.tif 000005
【図５】
0004691250.tif 000006
【図６】
0004691250.tif 000007
【図７】
0004691250.tif 000008
【図８】
0004691250.tif 000009
【図９】
0004691250.tif 000010
【図１０】
0004691250.tif 000011
【図１１】
0004691250.tif 000012
【図１２】
0004691250.tif 000013
【図１３】
0004691250.tif 000014
【図１４】
0004691250.tif 000015
【図１５】
0004691250.tif 000016
【図１６】
0004691250.tif 000017